(57)【特許請求の範囲】
【請求項１】
湯たんぽ(1) の上面部(1a)側から両側面部(1b)側にかけて囲繞するよう形成された略扁平な下向きＵ字状の２種類の線状枠(2),(3) を備え、そのうち一方の線状枠(2) は、湯たんぽ(1) の上面部(1a)及び両側面部(1b)から遠ざかるよう大径な外側線状枠(2) となし、他方の線状枠(3) は、外側線状枠(2) より小径な内側線状枠(3) となし、これら外側線状枠(2) と内側線状枠(3) とは、これら両枠(2),(3) と直交する方向に間隔を設けて交互に配列されて、両枠(2),(3) の下端部は湯たんぽ(1) の底面部を支持する底面支持部材(4) に固着され、これによって外側線状枠(2) と内側線状枠(3) とは非接触状態に枠組され、これら外側線状枠(2) と内側線状枠(3) と底面支持部材(4) とに囲繞されて湯たんぽ保持部(5) が形成されてなる湯たんぽ保持ケース。
【請求項２】
湯たんぽ保持部(5) には、湯たんぽ挿入部(6) とその反対側の湯たんぽ抜け出し防止部(7) とが備えられてなる請求項１に記載の湯たんぽ保持ケース。
【請求項３】
前記湯たんぽ抜け出し防止部(7) は、湯たんぽ保持部(5) の一端部に配列される内側線状枠(3) の下端部を連結する内側横桟(11a) の途中部を略下向きＵ字状に上方に湾曲させたＵ字状突起部からなる請求項２に記載の湯たんぽ保持ケース。
【請求項４】
前記底面支持部材(4) は、前記外側線状枠(2) をその直交方向に適当間隔に連結する外側連結部材(9) と、前記内側線状枠(3) をその直交方向に適当間隔に連結する内側連結部材(10)と、湯たんぽ保持部(5) の一端部の外側線状枠(2) の下端部を連結する外側横桟(8b)と湯たんぽ保持部(5) の他端部の外側線状枠(2) の下端部を連結する外側横桟(11b) との間を連結する底面側連結部材(12)と、湯たんぽ保持部(5) の一端部の内側線状枠(3) の下端部を連結する内側横桟(8a)と、湯たんぽ保持部(5) の他端部の内側線状枠(3) の下端部を連結する内側横桟(11a) とからなる請求項１〜３の何れかに記載の湯たんぽ保持ケース。
【請求項５】
前記外側連結部材(9) は、湯たんぽ保持部(5) 両端部の前記外側横桟(8b),(11b)に連結されて外側矩形状枠(13)を形成し、前記内側連結部材(10)は、湯たんぽ保持部(5) 両端部の前記内側横桟(8a),(11a)に連結されて内側矩形状枠(14)を形成し、これによって、外側矩形状枠(13)と内側矩形状枠(14)とは非接触状態に枠組みされてなる請求項４に記載の湯たんぽ保持ケース。
【請求項６】
外側線状枠(2),外側連結部材(9) および外側横桟(8b),(11b)からなる外側線状枠組部材(15)は太い金属線材によって形成され、内側線状枠(3），内側連結部材(10)および内側横桟(8a),(11a)とからなる内側線状枠組部材(16)は外側線状枠組部材(15)よりも細い金属線材によって形成されてなる請求項４又は５に記載の湯たんぽ保持ケース。
【発明の詳細な説明】
【０００１】
【発明の属する技術分野】
本発明は、湯たんぽを使用している際に発生する所謂低温火傷を防止するための湯たんぽ保持ケースに関する。
【０００２】
【従来の技術及びその課題】
図９に示される湯たんぽ１は、その表面の熱気が直接に使用者の体に当たるのを避けるために、図８に示される湯たんぽ袋２に収容され、図７に示される袋付き湯たんぽ３として使用されるが、このように湯たんぽ袋２を介在して湯たんぽ１の熱気が使用者の体に直接に当たらないようにしても、長時間、袋付き湯たんぽ３に当たっていると、その当接局所に所謂低温火傷という現象が生起し、熱気の当接している局所が赤くなったり、疼痛や赤熱感を感じることがある。
【０００３】
本発明は、湯たんぽ、或いはこれに湯たんぽ袋を被せた袋付きの湯たんぽを使用者が長時間使用しても、低温火傷の発生することがない湯たんぽ保持ケースを提供することを目的とするものである。
【０００４】
【課題を解決するための手段】
上記課題を解決するために請求項１に係る発明の湯たんぽ保持ケースは、実施形態に付す参照符号を付して示すと、湯たんぽ(1) の上面部(1a)側から両側面部(1b)側にかけて囲繞するよう形成された略扁平な下向きＵ字状の２種類の線状枠(2),(3) を備え、そのうち一方の線状枠(2) は、湯たんぽ(1) の上面部(1a)及び両側面部(1b)から遠ざかるよう大径な外側線状枠(2) となし、他方の線状枠(3) は、外側線状枠(2) より小径な内側線状枠(3) となし、これら外側線状枠(2) と内側線状枠(3) とは、これら両枠(2),(3) と直交する方向に間隔を設けて交互に配列されて、両枠(2),(3) の下端部は湯たんぽ(1) の底面部を支持する底面支持部材(4) に固着され、これによって外側線状枠(2) と内側線状枠(3) とは非接触状態に枠組され、これら外側線状枠(2) と内側線状枠(3) と底面支持部材(4) とに囲繞されて湯たんぽ保持部(5) が形成されてなる構成からなるものである。
【０００５】
請求項２に係る発明の湯たんぽ保持ケースは、湯たんぽ保持部(5) には、湯たんぽ挿入部(6) とその反対側の湯たんぽ抜け出し防止部(7) とが備えられてなる請求項１に記載の構成からなるものである。
【０００６】
請求項３に係る発明の湯たんぽ保持ケースは、前記湯たんぽ抜け出し防止部(7) は、湯たんぽ保持部(5) の一端部に配列される内側線状枠(3) の下端部を連結する内側横桟(11a) の途中部を略下向きＵ字状に上方に湾曲させたＵ字状突起部からなる請求項２に記載の構成からなるものである。
【０００７】
請求項４に係る発明の湯たんぽ保持ケースは、前記底面支持部材(4) は、前記外側線状枠(2) をその直交方向に適当間隔に連結する外側連結部材(9) と、前記内側線状枠(3) をその直交方向に適当間隔に連結する内側連結部材(10)と、湯たんぽ保持部(5) の一端部の外側線状枠(2) の下端部を連結する外側横桟(8b)と湯たんぽ保持部(5) の他端部の外側線状枠(2) の下端部を連結する外側横桟(11b) との間を連結する底面側連結部材(12)と、湯たんぽ保持部(5) の一端部の内側線状枠(3) の下端部を連結する内側横桟(8a)と、湯たんぽ保持部(5) の他端部の内側線状枠(3) の下端部を連結する内側横桟(11a) とからなる請求項１〜３の何れかに記載の構成からなるものである。
【０００８】
請求項５に係る発明の湯たんぽ保持ケースは、前記外側連結部材(9) は、湯たんぽ保持部(5) 両端部の前記外側横桟(8b),(11b)に連結されて外側矩形状枠(13)を形成し、前記内側連結部材(10)は、湯たんぽ保持部(5) 両端部の前記内側横桟(8a),(11a)に連結されて内側矩形状枠(14)を形成し、これによって、外側矩形状枠(13)と内側矩形状枠(14)とは非接触状態に枠組みされてなる請求項４に記載の構成からなるものである。
【０００９】
請求項６に係る発明の湯たんぽ保持ケースは、外側線状枠(2),外側連結部材(9) および外側横桟(8b),(11b)からなる外側線状枠組部材(15)は太い金属線材によって形成され、内側線状枠(3），内側連結部材(10)および内側横桟(8a),(11a)とからなる内側線状枠組部材(16)は外側線状枠組部材(15)よりも細い金属線材によって形成されてなる請求項４又は５に記載の構成からなるものである。
【００１１】
【発明の実施の形態】
図１〜図３は、本発明に係る湯たんぽ保持ケースの一実施形態の斜視図、側面図及び正面図である。また図４は、図１のＡーＡ線断面図で、図５は、図４のＢ部の拡大図である。また図６は、湯たんぽ保持ケースの分解斜視図である。
【００１２】
これらの図において、破線で示す湯たんぽ１の上面部１ａ側から両側面部１ｂ，１ｂ側にかけて囲繞するよう金属線材を曲げ加工によって略扁平な下向きＵ字状の２種類の線状枠２，３を形成し、そのうち一方の線状枠２は、湯たんぽ１の上面部１ａ及び両側面部１ｂ，１ｂから遠ざかるよう大径な外側線状枠２となし、他方の線状枠３は、外側線状枠２より小径な内側線状枠３となし、これら外側線状枠２と内側線状枠３とは、これら両枠２，３と直交する方向に交互に配列され、両枠の下端部が湯たんぽ１の底面部を支持する底面支持部材４に溶接によって固着され、これら外側線状枠２と内側線状枠３と底面支持部材４とに囲繞されて湯たんぽ１を保持する湯たんぽ保持部５が形成されている。
【００１３】
上記線状枠２，３のうち、外側線状枠２を構成する金属線材の太さは、直径が３〜４ｍｍであるが、これに対して内側線状枠３を構成する金属線材の太さは、直径が約２ｍｍ程度で、外側線状枠２よりも細くなっている。これは、後述のように外側線状枠２には使用者の体重が直接に負荷するが、内側線状枠３には負荷しないため、内側線状枠３を外側線状枠２に比べて細くしても充分に使用に耐えることができるからである。
【００１４】
また、湯たんぽ保持部５には、その一端部に配列される内外側線状枠２，３と両線状枠２，３の下端部を横方向に連結する一端部横桟８（正確には、内側線状枠３の下端部は内側横桟８ａに連結され、外側線状枠２の下端部は外側横桟８ｂに連結されている）とに囲繞されて、湯たんぽ１を湯たんぽ保持部５に挿入するための湯たんぽ挿入部６が形成され、その反対側端部に配列される内外線状枠２，３の下端部を横方向に連結する他端部横桟１１（正確には、内側線状枠３の下端部は内側横桟１１ａに連結され、外側線状枠２の下端部は外側横桟１１ｂに連結されている）に湯たんぽ抜け出し防止部７が形成される。
【００１５】
このたんぽ抜け出し防止部７は、湯たんぽ１の底面側端部の横桟１１のうち、内側線状枠３の下端部を横方向に連結する内側横桟１１ａの途中部を略下向きＵ字状に上方に湾曲させたＵ字状突起部７ａからなるものである。
【００１６】
前記底面支持部材４は、前記外側線状枠２の両下端部をその直交方向に適当間隔に連結する外側連結部材９と、前記内側線状枠３の両下端部をその直交方向に適当間隔に連結する内側連結部材１０と、湯たんぽ１の底面側にあって両端部横桟８，１１間を連結する底面側連結部材１２とからなり、該底面側連結部材１２は、図１に示す実施形態にあっては、３本の金属線材１２ａ，１２ｂ，１２ｃからなり、その両端部が外側横桟８ｂ，１１ｂに溶接によって連結され、それより内側で内側横桟８ａ，１１ａに溶接によって連結されている。
【００１７】
従って、前後の外側連結部材９，９と左右端部の外側横桟８ｂ，１１ｂとが互いに外側矩形状枠１３に連結形成され、前後の内側連結部材１０，１０と左右端部の内側横桟８ａ，１１ａも前記外側矩形状枠１３よりも若干内側にあって小径な内側矩形状枠１４に連結形成されており、該内側矩形状枠１４は前述の３本の金属線材１２ａ，１２ｂ，１２ｃに接触しているだけで、外側矩形状枠１３とは独立して形成されているため、外側矩形状枠１３とこの内側に形成される内側矩形状枠１４とは非接触に形成されると共に、外側矩形状枠１３を形成する外側連結部材９，９に固着される外側線状枠２と、内側矩形状枠１４を形成する内側連結部材１０，１０に固着される内側線状枠３とは非接触状態に枠組みされている。
【００１８】
なお、内外側両線状枠２，３の外側には図２乃至図３に示すように毛布や布団等のカバー１５で覆われて使用される。
【００１９】
なおまた、上述のように外側線状枠２は太い金属線材で形成され、内側線状枠３は細い金属線材によって形成されるが、これら外側線状枠２に連結される外側連結部材９，９、外側横桟８ｂ，１１ｂ及び底部側連結部材１２を形成する３本の金属線材１２ａ，１２ｂ，１２ｃも外側線状枠２と同じように太い金属線材によって形成され、また内側線状枠３に連結される内側連結部材１０，１０及び内側横桟８ａ，１１ａも内側線状枠３と同じように細い金属線材によって形成され、これによって外部荷重は上述のような太い金属線材からなる外側線状部材によって支持されるため保持ケースが破損されることはなく、またそれより内側の内側線状部材は細い金属線材によって形成されるため安価に製作することができる。
【００２０】
上述のように、外側線状枠組部材と内側線状枠組部材とは略非接触状態に枠組みされ、且つ太さも異なるため、組み立て作業としては、図６に示すように、多数の外側線状枠２、外側連結部材９，９及び外側横桟８ｂ、１１ｂからなる大径の外側線状枠組部材１５と、内側線状枠３、内側連結部材１０，１０及び内側横桟８ａ，１１ａからなる小径の内側線状枠組部材１６とを別個独立して製作し、しかるのちに内側線状枠組部材１６を外側線状枠組部材１５に嵌め込んで、内側線状枠組部材１６の内側横桟８ａ，１１ａを外側線状枠組部材１５の底面側連結部材１２（金属線材１２ａ，１２ｂ，１２ｃ）に溶接によって固着するようにすれば、本発明に係る湯たんぽ保持ケースを容易に且つ能率的に製作することができる。
【００２１】
そして使用する際には、湯たんぽ１を湯たんぽ挿入部６から湯たんぽ保持部５に挿入保持させ、カバー１７を内外側両線状枠２，３に被せ、カバー１７の上に使用者の体を接触させて使用することによって、湯たんぽ保持部５内の湯たんぽ１からの熱気は内外両線状枠２，３の隙間１８からカバー１７に間接的に伝達され、使用者の体を温めることができ、内外側両線状枠２，３の存在にも係わらず、湯たんぽ１の熱気が減衰されることはない。
【００２２】
また、図５に示すように、湯たんぽ保持部５内の湯たんぽ１は、その上面部及び左右側面部が該保持部５を形成する内外側両線状枠２，３のうち内側線状枠３に接触し、外側線状枠２には接触することがない。
【００２３】
これに対して、内外側両線状枠２，３の外側に被さるカバー１７は、外側線状枠２に接触し、内側線状枠３には接触することがない。
【００２４】
そして、図５に示すように、外側線状枠２と内側線状枠３とは非接触状態に枠組みされ、両線状枠２，３の間には空隙１８が形成されているため、湯たんぽ１からの熱気は、これが接触する内側線状枠３に伝達されるが、該内側線状枠３に伝達された熱気は前記空隙１８に遮断されて外側線状枠２に直接的には伝達されることはなく、従って、上述のように湯たんぽ１の熱気が間接的に使用者の体に伝達され体が温められるにもかかわらず、湯たんぽ１の熱気を直接的に受けることがないため、カバー１７に当接している使用者の体に所謂低温火傷を生起することがない。
【００２５】
なお、前記底面支持部材４は、上述のように金属線材によって形成されるだけでなく、図１に一部破線で示すように、前記外側線状枠２をその直交方向に適当間隔に連結する外側連結部９と、前記内側線状枠３をその直交方向に適当間隔に連結する内側連結部１０と、湯たんぽ１の底面側にあって両端部横桟８，１１間を連結する底面側連結部１２とを含む板状体４Ａによって形成されてもよい。
【００２６】
【発明の効果】
請求項１に係る発明の湯たんぽ保持ケースによれば、湯たんぽ保持部内の湯たんぽからの熱気は内外両線状枠２，３の隙間から外部に間接的に伝達され、使用者の体を温めることができ、内外側両線状枠の存在にも係わらず、湯たんぽの熱気が減衰されることはない。しかも、外側線状枠と内側線状枠とは非接触状態に枠組みされ、両線状枠の間には空隙が形成されているため、湯たんぽからの熱気は、これが接触する内側線状枠に伝達されるが、該内側線状枠に伝達された熱気は前記空隙に遮断されて外側線状枠に直接的には伝達されることはなく、従って、上述のように湯たんぽの熱気が間接的に使用者の体に伝達され体が温められるにもかかわらず、湯たんぽの熱気を直接的に受けることがないため、外側線状枠に直接的に又はカバーが介して間接的に当接している使用者の体に所謂低温火傷を生起することがなく、安全に使用することができる。
【００２７】
請求項２に係る発明の湯たんぽ保持ケースによれば、湯たんぽ保持部には、湯たんぽ挿入部とその反対側の湯たんぽ抜け出し防止部とが備えられてなるため、湯たんぽを該挿入部から湯たんぽ保持部内に容易に挿入することができ、且つ不測に該保持部内から抜け出ることはない。
【００２８】
請求項３に係る発明の湯たんぽ保持ケースによれば、  前記湯たんぽ抜け出し防止部は、湯たんぽの底面側一端部の横桟の途中部を略下向きＵ字状に上方に湾曲させたＵ字状突起部からなるため、湯たんぽ保持ケースを形成する横桟を利用して湯たんぽ抜け出し防止部を簡単容易に製作することができる。
【００２９】
請求項４に係る発明の湯たんぽ保持ケースによれば、前記底面支持部材は、前記外側線状枠をその直交方向に適当間隔に連結する外側連結部材と、前記内側線状枠をその直交方向に適当間隔に連結する内側連結部材と、湯たんぽの底面側にあって両端部横桟間を連結する底面側連結部材とからなるため、構造が簡単で安価に製作することができる。
【００３０】
請求項５に係る発明の湯たんぽ保持ケースによれば、前記両端部横桟は外側横桟と内側横桟とかなり、前記外側連結部材は外側横桟に連結されて外側矩形状枠を形成し、前記内側連結部材は内側横桟に連結されて内側矩形状枠を形成し、外側矩形状枠と内側矩形状枠とは略非接触状態に枠組みされ、且つ外側矩形状枠を構成する外側線状枠と内側矩形状枠を構成する内側線状枠とは略非接触状態に枠組みされるため、内側線状枠に接触する湯たんぽの熱気が外側線状枠に接触する使用者の体に直接的に伝達されることはなく、所謂低温火傷を生起を、より有効に遮断することができる。
【００３１】
請求項６に係る発明の湯たんぽ保持ケースによれば、外側線状枠などの外側線状枠組部材は太い金属線材によって形成されるため、保持ケースに負荷する使用者の体重等の外部負荷に対して該保持ケースが破損することがなく、また内側線状枠などの内側線状枠組部材は外側線状枠組部材よりも細い金属線材によって形成されるため、曲げ加工が容易で安価に製作することができる。
【図面の簡単な説明】
【図１】  本発明に係る湯たんぽ保持ケースの斜視図である。
【図２】  同側面図である。
【図３】  同正面図である。
【図４】  図１のＡーＡ線断面図である。
【図５】  図４のＢ部の拡大図である。
【図６】  湯たんぽ保持ケースの分解斜視図である。
【図７】  袋付き湯たんぽの斜視図である。
【図８】  湯たんぽ袋の斜視図である。
【図９】  湯たんぽの斜視図である。
【符号の説明】
１        湯たんぽ
２        外側線状枠
３        内側線状枠
４        底面支持部材
４Ａ      底面支持部材
５        湯たんぽ保持部
６        湯たんぽ挿入部
７        湯たんぽ抜け出し防止部
７ａ      Ｕ字状突起部
８        横桟
８ａ      内側横桟
８ｂ      外側横桟
９        外側連結部材
１０      内側連結部材
１１      横桟
１１ａ    内側横桟
１１ｂ    外側横桟
１２      底面側連結部材
１３      外側矩形状枠
１４      内側矩形状枠
１５      外側線状枠組部材
１６      内側線状枠組部材
１７      カバー
１８      隙間
【図１】
0003934478.tif 000002
【図２】
0003934478.tif 000003
【図３】
0003934478.tif 000004
【図４】
0003934478.tif 000005
【図５】
0003934478.tif 000006
【図６】
0003934478.tif 000007
【図７】
0003934478.tif 000008
【図８】
0003934478.tif 000009
【図９】
0003934478.tif 000010